(57)【特許請求の範囲】
【請求項１】
躯体コンクリートの立面を構成する型枠ユニットであって、
断面凹字状に形成された複数のランナー部材を夫々の両端又は一端において所定の幅で嵌め重ねて連結し、当該連結したランナー部材を土台上に凹字状の開口面を上方に向け、一対にして平行に並設するとともに、
当該一対のランナー部材の断面凹字状に、上下方向のリブ部が形成された一対の金属製型枠パネルを夫々嵌合させて平行に植設し、
断面凹字状に形成された複数のキャップ部材を夫々の両端又は一端において所定の幅で嵌め重ねて連結し、前記一対の金属製型枠パネルの夫々の上端に凹字状の開口面を下方に向けて嵌め込んで覆設し、
前記ランナー部材及びキャップ部材の外側から水平方向に、夫々断面凹字状の外側面から金属製型枠パネル及び夫々断面凹字状の内側面を串刺し貫通させて螺設するビスを所定の幅で打ち込んで前記ランナー部材及びキャップ部材を金属製型枠パネルに固定し、
当該一対のキャップ部材間を一又は複数の幅止め金具で橋架し、
金属製型枠パネルを前記ランナー部材、キャップ部材及び幅止め金具のみでビスにより固定してなることを特徴とする型枠ユニット。
【請求項２】
前記複数のランナー部材の両端又は一端における嵌め重ねの所定の幅を３０ｍｍ〜３００ｍｍの幅とし、当該嵌め重ね箇所にコンクリート釘を打ち込んでランナー部材を土台に固定するとともに、当該ランナー部材の外側から水平方向にビスを、ランナー部材の断面凹字状の外側面から金属製型枠パネル及び断面凹字状の内側面を串刺し貫通させ、２００ｍｍ〜６００ｍｍピッチで打ち込んで前記金属製型枠パネルを当該ランナー部材に固定し、
前記複数のキャップ部材の両端又は一端における嵌め重ねの所定の幅を３０ｍｍ〜３００ｍｍの幅とするとともに、当該キャップ部材の外側から水平方向にビスを、キャップ部材の断面凹字状の外側面から金属製型枠パネル及び断面凹字状の内側面を串刺し貫通させ、２００〜６００ｍｍピッチで打ち込んで前記金属製型枠パネルを当該キャップ部材に固定し、
前記幅止め金具は、コ字状の鍵型に形成されて前記一対のキャップ部材間に橋架され、コ字状の両端部が前記一対のキャップ部材の外側面に係止されるとともに、当該幅止め金具の外側から水平方向にビスを、幅止め金具の両端部からキャップ部材の断面凹字状の外側面、金属製型枠パネル及びキャップ部材の断面凹字状の内側面を串刺し貫通させて打ち込んで固定し、
前記金属製型枠パネルを前記ランナー部材、キャップ部材及び幅止め金具のみでビスにより固定してなることを特徴とする請求項１に記載の型枠ユニット。
【発明の詳細な説明】
【技術分野】
【０００１】
本発明は、薄板鋼板からなる金属製型枠パネルを使用した型枠ユニットの構築に際し、セパレータ、フォームタイ（登録商標）、締め金具、鋼管という補強具の設置及び解体を不要とし、工期短縮及びコスト削減を実現可能にする型枠ユニットに関する。
【背景技術】
【０００２】
近年、地球温暖化防止や森林保護など地球環境を保護するため、従来より使用されてきた木製合板型枠パネルの代替材として、薄板鋼板からなる金属製型枠パネルが使用される傾向が強まっている。
【０００３】
当該金属製型枠パネルは、厚みが０．４ｍｍ程度の耐防錆処理鋼板を使用し、その防錆効果により腐敗が発生しないため、コンクリート基礎部分においてはコンクリート打設後に埋め戻しが可能となる。これにより、金属製型枠パネルを使用した型枠ユニットの構築は、その補強具として設置される鋼管、フォームタイ、締め金具をコンクリートの硬化後に解体撤去して搬出する必要があるものの、当該金属製型枠パネルの解体撤去及び搬出は不要となるため、従来の解体撤去及び搬出作業を必要とする木材合板型枠と比較して工期短縮による優れた施工性を実現している（特許文献１、特許文献２）。
【０００４】
また、当該工期短縮による人件費の削減、解体不要による金属製型枠パネルの運搬費用の削減及び運搬にかかるトラック運送のＣＯ２排出の削減、型枠パネルの廃棄による費用及びＣＯ２排出の削減により、従来の木材合板型枠と比較して環境性能、コスト面においても優れている（特許文献１、特許文献２）。
【先行技術文献】
【特許文献】
【０００５】
【特許文献１】特許公開平１１−２９３８３０号公報
【特許文献２】特許３２８３７３０号公報
【発明の概要】
【発明が解決しようとする課題】
【０００６】
しかしながら、今般の経済状況により市場のニーズは更なる工期短縮及び施工費用の削減が求められている。前記従来の型枠ユニットによれば、コンクリート打設後に、金属製型枠パネルの埋め戻しが可能であるものの、図８及び図９の従来の型枠ユニット１０１を示す断面図にあるように、当該金属製型枠パネル１０３の補強具として使用されるセパレータ１０６、フォームタイ１０７、締め金具１０８、鋼管１０９という補強具の設置及び撤去は必要であり、その設置及び解体に掛かる工期、人件費や運搬費などの費用が発生するという問題があった（図８及び図９を参照。）。
【０００７】
また、今般、前記従来の型枠ユニット１０１を構築する際の工期短縮及び施工費用の削減を目的として、当該金属製型枠パネル１０３の下端を固定する断面凹字状の複数のランナー部材１０２を隙間をあけて設置したり、短めのビス１０５を用いてランナー部材１０２及び金属製型枠パネル１０３をビス１０５止めし、そのビス１０５止め間隔も広くしてビス１０５の使用を極力抑制するのが慣例及び実情となっていた。そのため、金属製型枠パネル１０３がコンクリートの側圧に耐えることができずに歪みが生じ、その側圧に耐え得るだけの更なる補強具が必要となり、結果的に工期の長期化及び施工費用の増大を招くという問題があった（図８及び図９を参照。）。
【０００８】
そこで、本発明に係る型枠ユニットは、コンクリートの側圧に耐え得る強度を維持しながら、型枠ユニットの構築工程の簡素化を図ることにより、優れた施工性による工期短縮及びコスト削減を目的とした型枠ユニットを提供することを課題とする。
【課題を解決するための手段】
【０００９】
そこで、本発明に係る型枠ユニットは以下のように構成した。本発明に係る請求項１に記載の型枠ユニットは、躯体コンクリートの立面を構成する型枠ユニットであって、断面凹字状に形成された複数のランナー部材を夫々の両端又は一端において所定の幅で嵌め重ねて連結し、当該連結したランナー部材を土台上に凹字状の開口面を上方に向け、一対にして平行に並設するとともに、当該一対のランナー部材の断面凹字状に、上下方向のリブ部が形成された一対の金属製型枠パネルを夫々嵌合させて平行に植設し、断面凹字状に形成された複数のキャップ部材を夫々の両端又は一端において所定の幅で嵌め重ねて連結し、前記一対の金属製型枠パネルの夫々の上端に凹字状の開口面を下方に向けて嵌め込んで覆設し、前記ランナー部材及びキャップ部材の外側から水平方向に、夫々断面凹字状の外側面から金属製型枠パネル及び夫々断面凹字状の内側面を串刺し貫通させて螺設するビスを所定の幅で打ち込んで前記ランナー部材及びキャップ部材を金属製型枠パネルに固定し、当該一対のキャップ部材間を一又は複数の幅止め金具で橋架し、金属製型枠パネルを前記ランナー部材、キャップ部材及び幅止め金具のみでビスにより固定してなることを特徴としている。
【００１０】
また、請求項２に記載の型枠ユニットは、前記複数のランナー部材の両端又は一端における嵌め重ねの所定の幅を３０ｍｍ〜３００ｍｍの幅とし、当該嵌め重ね箇所にコンクリート釘を打ち込んでランナー部材を土台に固定するとともに、当該ランナー部材の外側から水平方向にビスを、ランナー部材の断面凹字状の外側面から金属製型枠パネル及び断面凹字状の内側面を串刺し貫通させ、２００ｍｍ〜６００ｍｍピッチで打ち込んで前記金属製型枠パネルを当該ランナー部材に固定し、前記複数のキャップ部材の両端又は一端における嵌め重ねの所定の幅を３０ｍｍ〜３００ｍｍの幅とするとともに、当該キャップ部材の外側から水平方向にビスを、キャップ部材の断面凹字状の外側面から金属製型枠パネル及び断面凹字状の内側面を串刺し貫通させ、２００〜６００ｍｍピッチで打ち込んで前記金属製型枠パネルを当該キャップ部材に固定し、前記幅止め金具は、コ字状の鍵型に形成されて前記一対のキャップ部材間に橋架され、コ字状の両端部が前記一対のキャップ部材の外側面に係止されるとともに、当該幅止め金具の外側から水平方向にビスを、幅止め金具の両端部からキャップ部材の断面凹字状の外側面、金属製型枠パネル及びキャップ部材の断面凹字状の内側面を串刺し貫通させて打ち込んで固定し、前記金属製型枠パネルを前記ランナー部材、キャップ部材及び幅止め金具のみでビスにより固定してなることを特徴としている。
【発明の効果】
【００１１】
本発明に係る請求項１及び請求項２に記載の型枠ユニットによれば、従来の型枠ユニットの施工に使用したセパレータ、フォームタイ、締め金具、鋼管の代替材として幅止め金具を使用するとともに、ランナー部材及びキャップ部材の連結箇所を嵌め重ね、また、コンクリート釘やビス止めの間隔を所定の幅にすることにより、従来の型枠ユニットと同様かそれ以上のコンクリート耐圧強度を保持させた上で型枠ユニットの施工工程を簡素化させ、工期短縮及びコスト削減を実現することができる。
【図面の簡単な説明】
【００１２】
【図１】本発明に係る型枠ユニットの構成を示す斜視図である。
【図２】当該型枠ユニットの構築を示す斜視図である。
【図３】当該型枠ユニットの構成を示す断面図である。
【図４】当該型枠ユニットの構成を示す断面図である。
【図５】当該型枠ユニットにコンクリートを打設した様子を示す断面図である。
【図６】従来の型枠ユニットの構築工程を示すフローチャートである。
【図７】本発明に係る型枠ユニットの構築工程を示すフローチャートである。
【図８】従来の型枠ユニットの構成を示す図である。
【図９】従来の型枠ユニットの構成を示す図である。
【発明を実施するための形態】
【００１３】
以下、図面に基づいて本発明を具体的に説明する。まず、図１は、本発明に係る型枠ユニット１の構成を示す斜視図である。当該型枠ユニット１は、土台となる捨てコンクリート５０上に一対の断面凹字状のランナー部材２を上方に開口させた状態で平行に並設し、金属製薄板を屈曲させて片側面に開口する断面略コ字形のリブ部を複数並列に形成された一対の金属製型枠パネル３を当該ランナー部材２上に平行に嵌め込んで植設した後、当該金属製型枠パネル３の上端に断面凹字状のキャップ部材４を下方に開口させた状態で覆設し、さらに、当該一対のキャップ部材４上に複数の幅止め金具５を橋架することにより構成される。なお、これらランナー部材２、金属製型枠パネル３、キャップ部材４及び幅止め金具５はそれぞれ、ビス６の打ち込みによって固定されるが、次に、図２を用いて型枠ユニット１の構築について詳しく説明する。
【００１４】
図２は、当該型枠ユニット１の構築を示す斜視図である。土台となる捨てコンクリート５１上に平行に並設されるランナー部材２は、その一方に設けられる複数本のランナー部材２がその両端又は一端で嵌め重ねて捨てコンクリート５１上に載置される。当該嵌め重ねられるランナー部材２の端部の幅は、３０ｍｍ〜３００ｍｍの範囲であればよいが、ランナー部材２のコスト節約及び嵌め重ね後のランナー部材２間の強度を考慮すると、５０ｍｍ〜１００ｍｍの幅で嵌め重ねることが好ましい。例えば、ランナー部材２を３００ｍｍの幅で嵌め重ねると、嵌め重ねたランナー部材２間の強度を得ることはできるものの、ランナー部材２が重なっている幅が大きいため、より多くのランナー部材２が必要となってしまいコストが増大する。逆に、３０ｍｍの幅でランナー部材２を嵌め重ねた場合には、３００ｍｍ幅で嵌め重ねるよりも強度は下がるものの、ランナー部材２のコストを削減することができる。このように捨てコンクリート５０上に載置されたランナー部材２は、当該ランナー部材２の断面凹字状の底面から嵌め重ねた箇所にコンクリート釘７を打ち込んで固定される。また、金属製型枠パネル３は、当該ランナー部材２の断面凹字状部分に上方から嵌め込むようにして植設され、さらに、複数本のキャップ部材４がその両端又は一端で３０ｍｍ〜３００ｍｍの幅で嵌め重ねられた上で、断面凹字状の開口面を下方に向けて金属製型枠パネル３の上端に覆設される。ここで、当該金属製型枠パネル３は、高さが約６００ｍｍ以下であることが好ましい。そして、当該キャップ部材４上には、コ字型の幅止め金属６が一対の金属製型枠パネル３を橋架するようにして固定される。また、キャップ部材４も上記ランナー部材２と同様に、３０ｍｍ〜３００ｍｍの幅で嵌め重ねてもよいが、好ましくは５０ｍｍ〜１００ｍｍの幅で嵌め重ねるのがよい。
【００１５】
このようにランナー部材２、金属製型枠パネル３、キャップ部材４及び幅止め金具５により構築される型枠ユニット１の各部位は、外側から水平方向に打ち込まれるビス６によって固結される。金属製型枠パネル３の下端においては、ランナー部材２の外側面から金属製型枠パネル３及びランナー部材の内側面を串刺し貫通するビス６が２００ｍｍ〜６００ｍｍ間隔で打ち込まれ、ランナー部材２と金属製型枠パネル３とを固結する。また、金属製型枠パネル３の上端においては、複数のコ字型の幅止め金具５の両端部外側からキャップ部材４の外側面、金属製型枠パネル３及びキャップ部材４の内側面を串刺し貫通する６が、複数の幅止め金具５の設置間隔で打ち込まれ、金属製型枠パネル３とキャップ部材４と幅止め金具５とを固結する。なお、当該金属製型枠パネル３の上端に打ち込まれるビス６は、幅止め金具５の設置間隔とは別に、下端と同様２００ｍｍ〜６００ｍｍ間隔でキャップ部材４の外側面から金属製型枠パネル３及びキャップ部材４の内側面を串刺し貫通して打ち込み、金属製型枠パネル３とキャップ部材４を固結するようにしてもよい。
【００１６】
このように串刺し貫通して打ち込まれたビス６は、図３の型枠ユニット１を示す断面図及び図４に示した断面図のように、断面凹字状のランナー部材２及びキャップ部材４の両側面を貫通して打ち込まれており、従来のように断面凹字状の外側面と金属製型枠パネル３しか貫通していないもの（図８及び図９を参照。）に比べてより強固に型枠ユニット１を構築することができる。そのため、当該ビス６は、従来のものに比べて長いものを使用する必要があり、その長さは、断面凹字状のランナー部材２及びキャップ部材４の両側面と金属製型枠パネル３を貫通する程度の長さであればよい。
【００１７】
図５は、本発明に係る型枠ユニット１にコンクリート５２を打設した様子を示す断面図である。上記構築された型枠ユニット１に対して、その上方の開口部からコンクリート５２が流し込まれた状態を示している。上述したように、金属製型枠パネル３には、断面略コ字状のリブ部が複数並列で縦方向に設けられることによって金属製型枠パネル３自体に縦方向の強度を得ることができる。また、従来の締め金具１０８及び鋼管１０９（図８及び図９を参照。）の代替として、３０ｍｍ〜３００ｍｍ（好ましくは５０ｍｍ〜１００ｍｍ）で端部が嵌め重ねられたランナー部材２及びキャップ部材４並びに３００ｍｍ間隔で打ち込まれたビス６によって横方向の強度を得ることができる。さらに、従来のセパレータ１０６及びフォームタイ１０７（図８及び図９を参照。）の代替として、キャップ部材４の上端に幅止め金具５を橋架したことにより、幅方向の強度を得ることができる。これにより、コンクリート５２の打設による縦方向、横方向及び幅方向の側圧に耐え得る従来の型枠ユニット１０１（図８及び図９を参照。）と同様の側圧強度を得ることができ、起立状態を維持することのできる型枠ユニット１を提供することが可能となる。そして、コンクリート５２の打設後には、セパレータ１０６、フォームタイ１０７、締め金具１０８及び鋼管１０７を解体撤去及び搬送する必要がないため、そのまま型枠ユニット１を埋め戻すことができる。
【００１８】
このように本発明に係る型枠ユニット１によれば、従来のようにセパレータ１０６、フォームタイ１０７、締め金具１０８及び鋼管１０９を金属製型枠パネル３に補強のために設置したり、フォームタイ１０７、締め金具１０８及び鋼管１０９をコンクリート打設後に解体撤去したりする必要がないため、型枠ユニット１の構築工程を簡素化することができ、それにより、工期短縮及びコスト削減を実現することができる。当該構築工程の簡素化について、従来の型枠ユニット１０１の構築工程及び本発明に係る型枠ユニット１の構築工程のフローチャートを比較し、以下の図６及び図７を用いて具体的に説明する。
【００１９】
図６は、従来の型枠ユニット１０１の構築工程を示すフローチャートであって、図７は、本願発明に係る型枠ユニット１の構築工程を示すフローチャートである。ここで、図６に示すフローチャートの各部位については、図８及び図９に示した従来の型枠ユニット１０１に付した符号に基づいて説明する。図６に示す従来の型枠ユニット１０１は、当該型枠ユニット１０１を構成するランナー部材１０２や金属製型枠パネル１０３などの資材の搬入した後、土台となる捨てコンクリート５１上にランナー部材１０２を固定し、当該ランナー部材１０２の凹字状部分に金属製型枠パネル１０３を植設するとともに、当該金属製型枠パネル１０３の上端にキャップ部材４を嵌設する。その後、セパレータ１０６、フォームタイ１０７、締め金具１０８及び鋼管１０９を金属製型枠パネル３の外側に設けるなどして、型枠ユニット１０１の強度をコンクリート５２の側圧に耐え得る構成としてからコンクリート５２を打設する。そして、コンクリート５２の硬化を待ってから、金属製型枠パネル１０３に取り付けられたフォームタイ１０７、締め金具１０８及び鋼管１０９を解体撤去し、これら補強用に使用した資材を搬出する。このように従来の型枠ユニット１０１では、埋め戻し可能になるまでに１３もの工程が必要となる。
【００２０】
一方で、図７に示した本発明に係る型枠ユニット１は、本発明に係る型枠ユニット１を構成するランナー部材２及び金属製型枠パネル３などの資材の搬入した後、土台となる捨てコンクリート５１上にランナー部材２を固定し、当該ランナー部材２の凹字状部分に金属製型枠パネル３を植設するとともに、当該金属製型枠パネル３の上端にキャップ部材４を嵌設し、当該キャップ部材４上に幅止め金具５を橋架して固定する。そして、当該型枠ユニット１にコンクリート５２を打設した後、その硬化後にはそのまま埋め戻しすることができるので、本発明に係る型枠ユニット１では、埋め戻し可能になるまでに６の工程を経れば済む。このように、本発明に係る型枠ユニット１は、従来の型枠ユニット１に比して、およそ１／２の工程数で埋め戻し可能な状態にすることができる。
【００２１】
以上により、本発明に係る型枠ユニット１は、上述した構成を採用することにより、型枠ユニット１の強度を維持したままで施工工程の簡素化によって大幅に工期を短縮することができるとともに、人件費や運搬費などの費用を削減することができる。
【符号の説明】
【００２２】
１      型枠ユニット
２      ランナー部材
３      金属製型枠パネル
４      キャップ部材
５      幅止め金具
６      ビス
７      コンクリート釘
５１    捨てコンクリート
５２    コンクリート
１０１  型枠ユニット
１０２  ランナー部材
１０３  金属製型枠ユニット
１０４  キャップ部材
１０５  ビス
１０６  セパレータ
１０７  フォームタイ
１０８  締め金具
１０９  鋼管
【産業上の利用可能性】
【００２３】
本発明に係る型枠ユニット１は、型枠内部にコンクリートの替わりに土砂を入れることにより簡易基礎や土留めなどにも利用することができる。
【図１】
0005754958.tif 000002
【図２】
0005754958.tif 000003
【図３】
0005754958.tif 000004
【図４】
0005754958.tif 000005
【図５】
0005754958.tif 000006
【図６】
0005754958.tif 000007
【図７】
0005754958.tif 000008
【図８】
0005754958.tif 000009
【図９】
0005754958.tif 000010